(57)【特許請求の範囲】
【請求項１】
ベース部品と、
該ベース部品に配置され、一部に隙間を形成した環形状のコアと、
該コアに外装し、通電を行って該コアを通過する磁路を形成するためのコイルと、
上記ベース部品に対して回動可能に支持した軸部、該軸部の回りに設けたロータ、及び遊技球を打球する打球部を有するとともに、上記軸部と上記ロータを上記隙間に配置してなる打球槌とを備えており、
上記打球槌における上記打球部の打球点を、上記コアの厚み範囲内に配置してあることを特徴とする遊技機の球発射装置。
【請求項２】
請求項１に記載の遊技機の球発射装置において、上記コアは、２つに分割した分割コア部を組み合わせてなり、
上記ベース部品には、上記コアを覆う第１カバーが取り付けてあり、
該第１カバーに設けた押圧部によって、上記２つの分割コア部を押さえ付けて、該２つの分割コア部に形成された分割面を互いに密着させていることを特徴とする遊技機の球発射装置。
【請求項３】
請求項１又は２に記載の遊技機の球発射装置において、上記打球槌は、原位置において待機し、該原位置から上記軸部の回りに上方へ回動して上記打球部によって遊技球を打球するよう構成してあり、
上記ベース部品には、上記原位置にある上記打球槌に対する上方位置に、上記打球槌の回動範囲内に侵入した遊技球を受け止めて流下させる流下通路部が形成してあるとともに、上記打球槌を覆う第２カバーが取り付けてあり、
該第２カバーの内側面には、上記流下通路部を流下する遊技球を排出するための排出通路部が形成してあることを特徴とする遊技機の球発射装置。
【発明の詳細な説明】
【技術分野】
【０００１】
本発明は、遊技機において、コイルへの通電によって生じる磁力を利用して遊技球を打球する球発射装置に関する。
【背景技術】
【０００２】
パチンコ遊技機等の遊技機においては、遊技球を遊技盤の遊技領域へ発射する球発射装置が、遊技盤に対する下方位置に設けてある。球発射装置としては、モータによる駆動力を受けて遊技球を打球するもの、ソレノイド（コイルへの通電）による駆動力を受けて遊技球を打球するもの等がある。また、球発射装置は、遊技機の正面から見た左側に配設して略垂直方向に遊技球を打球するもの、遊技機の正面から見た右側に配設して斜め上方向に遊技球を打球するもの等がある。
例えば、特許文献１のパチンコ機においては、本体基板の裏面に、打球槌を駆動するロータリソレノイドを取り付け、ロータリソレノイドへの通電によって打球槌を回動させて遊技球を打球する球発射装置が開示されている。
【先行技術文献】
【特許文献】
【０００３】
【特許文献１】特開２００３−３８７３６号公報
【発明の概要】
【発明が解決しようとする課題】
【０００４】
ところで、遊技盤に配設する画像表示装置の拡大等に伴い、遊技領域の更なる拡大を狙って、球発射装置等の機能部品を小型化したい要請がある。特許文献１の球発射装置においては、遊技機の正面側に占めるスペースを縮小することができる。しかし、ロータリソレノイドが遊技機の背面側に突出し、このロータリソレノイドが、通常、遊技ホールにおいて遊技機を設置するために設けられる島設備の内部に備えられた、遊技終了球を受け入れるための球受部等に干渉してしまうおそれがある。従って、球発射装置の前後方向の厚みの縮小化を図り、島設備の球受部等との干渉を避けるためには更なる工夫が必要とされる。
【０００５】
本発明は、かかる従来の問題点に鑑みてなされたもので、前後方向の厚みの縮小化を図り、遊技機が設置される遊技ホールの島設備内部との干渉を避け、併せて、遊技機内における配設の自由度を向上させることができる遊技機の球発射装置を提供しようとするものである。
【課題を解決するための手段】
【０００６】
本発明は、ベース部品と、
該ベース部品に配置され、一部に隙間を形成した環形状のコアと、
該コアに外装し、通電を行って該コアを通過する磁路を形成するためのコイルと、
上記ベース部品に対して回動可能に支持した軸部、該軸部の回りに設けたロータ、及び遊技球を打球する打球部を有するとともに、上記軸部及び上記ロータを上記隙間に配置してなる打球槌とを備えており、
上記打球槌における上記打球部の打球点を、上記コアの厚み範囲内に配置してあることを特徴とする遊技機の球発射装置にある（請求項１）。
【発明の効果】
【０００７】
本発明の遊技機の球発射装置は、ベース部品に対して、環形状のコア、コイル及び打球槌を配設してなる。そして、コア及びコイルと打球槌との位置、寸法の関係に工夫を行っている。
具体的には、本発明の打球槌における打球部の打球点は、コアの厚み範囲内に配置してある。つまり、本発明においては、遊技機の前後方向における打球槌の主要部分の配置領域とコアの配置領域とを、ほぼ同じ領域に合わせることができる。これにより、球発射装置の前後方向の厚みを小さくすることができ、球発射装置が遊技機において占めるスペースを小さくすることができる。
【０００８】
また、球発射装置においては、打球槌を駆動する部分であるコア及びコイルが、ベース部品の背面側にできる限り突出しないようにすることができる。これにより、球発射装置が、遊技ホールにおいて遊技機が設置される島設備内部の球受部等に干渉してしまうことを防止することができる。
また、遊技機の前後方向における打球槌の主要部分の配置領域とコアの配置領域とを、ほぼ同じ領域に合わせることにより、ベース部品の片面側を平坦状に形成することが容易となる。そして、遊技機における球発射装置が取り付けられる本体枠等の取付け面を簡易的に形成することができる。また、遊技機の機構を複雑にする必要性がなくなり、結果として球発射装置の遊技機内における配設の自由度を向上させることができる。
それ故、本発明の遊技機の球発射装置によれば、その前後方向の厚みの縮小化を図り、遊技機が設置される遊技ホールの島設備内部との干渉を避け、併せて、遊技機内における配設の自由度を向上させることができる。
【図面の簡単な説明】
【０００９】
【図１】実施例１にかかる、第１カバー及び第２カバーを取り外した状態の球発射装置を示す斜視図。
【図２】実施例１にかかる、第１カバーを取り付け、第２カバーを二点鎖線で示した状態の球発射装置を示す斜視図。
【図３】実施例１にかかる、第１カバー及び第２カバーを取り付けた状態の球発射装置を示す正面図。
【図４】実施例１にかかる、コア及びコイルと第１カバーとの係合状態を示す背面図。
【図５】実施例１にかかる、打球槌における軸部の付近を、図３のＡ−Ａ矢視線から見た状態で示す断面図。
【図６】実施例１にかかる、遊技機における球発射装置の配置位置を示す正面図。
【図７】実施例２にかかる、コア及びコイルと打球槌との配置関係を示す正面図。
【図８】参考例にかかる、コア及びコイルと打球槌との配置関係を示す正面図。
【発明を実施するための形態】
【００１０】
上述した本発明の遊技機の球発射装置における好ましい実施の形態につき説明する。
本発明において、上記コアは、２つに分割した分割コア部を組み合わせてなり、上記ベース部品には、上記コアを覆う第１カバーが取り付けてあり、該第１カバーに設けた押圧部によって、上記２つの分割コア部を押さえ付けて、該２つの分割コア部に形成された分割面を互いに密着させていることが好ましい（請求項２）。
この場合には、隙間を有する環形状のコアに対して、通常は中空穴形状を有するコイルを容易に外装することができる。つまり、環形状のコアを、コイルの中空穴に配設しやすいように複数の分割コア部に分割し、コイルの中空穴に対してこの分割コア部を適宜挿入配置するように形成している。これにより、環形状（一部曲線形状、一部屈曲形状等）を有するコアに対して、コイルを容易に外装することができる。
また、コアを覆う第１カバーを利用して、分割コア部の分割面同士を互いに密着させている。これにより、分割コア部の分割面同士を互いに密着させるための専用部品を用いなくてもよい。そのため、球発射装置に用いる部品点数の低減を図ることができる。
また、分割面同士を適切に密着させ、コイルへの通電時に、コアを通過する磁路を適切に形成することができる。
【００１１】
また、上記打球槌は、原位置において待機し、該原位置から上記軸部の回りに上方へ回動して上記打球部によって遊技球を打球するよう構成してあり、上記ベース部品には、上記原位置にある上記打球槌に対する上方位置に、上記打球槌の回動範囲内に侵入した遊技球を受け止めて流下させる流下通路部が形成してあるとともに、上記打球槌を覆う第２カバーが取り付けてあり、該第２カバーの内側面には、上記流下通路部を流下する遊技球を排出するための排出通路部が形成してあることが好ましい（請求項３）。
この場合には、第２カバーを設けることにより、メンテナンス時等に、打球槌に対して遊技球の落下衝突等の不要な物理的外力が加えられることを防止することができ、打球槌が破損することを適切に防止することができる。また、万一、第２カバー内に遊技球が侵入したときでも、この遊技球を、ベース部品の流下通路部及び第２カバーの排出流路部を経由して、打球槌の周辺から排出することができる。これにより、侵入した遊技球によって打球槌が回動しなくなる事態を防止して、打球槌を保護することができる。
【実施例】
【００１２】
以下に、本発明の遊技機の球発射装置にかかる実施例につき、図面を参照して説明する。
（実施例１）
本例の遊技機１０の球発射装置１は、図１に示すごとく、ベース部品２、環形状のコア３、コイル４及び打球槌５を備えている。環形状のコア３は、ベース部品２に配置され、環形状の一部に隙間３０を形成してなる。コイル４は、コア３に外装してあり、通電を行ってコア３を通過する磁路を形成するためのものである。打球槌５は、ベース部品２に対して回動可能に支持した軸部５１、軸部５１の回りにロータ５２を有するとともに、遊技球Ｂを打球する打球部５４を有している。ロータ５２は、コア３の隙間３０に配置してあり、コア３から受ける磁気吸引力によって回動するよう構成されている。打球槌５における打球部５４の打球点５４１は、コア３の厚み範囲Ｒ内に配置してある。
【００１３】
以下に、本例の遊技機１０の球発射装置１につき、図１〜図６を参照して詳説する。
ここで、本例において、正面側、前面側とは、遊技機１０に対する遊技者側のことをいい、背面側、後面側とは、遊技機１０における島設備の内部側（遊技者側とは反対側）のことをいう。
図６に示すごとく、本例の遊技機１０は、パチンコ遊技機である。遊技機１０の本体枠１１には、遊技領域１２１を形成する遊技盤１２が取り付けてあり、本体枠１１の前面側には、打球供給皿１４１及び補助球受皿１４２を設けた球皿パネル１４が開閉可能に配設してある。本体枠１１には、打球供給皿１４１が遊技球Ｂによって満タン状態になったとき、遊技球Ｂを補助球受皿１４２へ流下させるオーバーフロー流路が形成してある。
【００１４】
本例の球発射装置１は、遊技機１０における略中央位置に配設してあり、この位置から左斜め上方に向けて遊技球Ｂを発射させるよう構成してある。
本体枠１１には、球発射装置１から発射される遊技球Ｂを遊技盤１２に向けて導くための発射球案内レール１１０が、球発射装置１から左斜め上方に向けて形成してある。また、発射球案内レール１１０の上方端部から延長した位置には、遊技球Ｂを遊技盤１２の前面に形成された遊技領域１２１に向けて導くための球ガイド（外レール）１２２が円弧状に形成されている。そして、球ガイド１２２の内方位置には、遊技盤１２の前面に遊技領域１２１を区画形成するために設けられた内レール１２３が、球ガイド１２２の円弧形状に相似の形状で配設されている。発射された遊技球Ｂは、球ガイド１２２と内レール１２３との間の領域を通って遊技領域１２１へと導かれる。
【００１５】
また、発射球案内レール１１０と球ガイド１２２との間には、球発射装置１から発射された後、遊技領域１２１に到達せずに球発射装置１の側に戻ってくるファール球（遊技球Ｂ）を、ファール球回収流路へ回収するための入口部１５が形成されている。ファール球回収流路は、ファール球を打球供給皿１４１へ戻すよう構成されている。
【００１６】
図５に示すごとく、本例のベース部品２は、アルミニウム材料等を用いたダイキャスト成形により形成してあり、本体枠１１に取り付けられる側の面が略平板状に形成してある。ベース部品２の前面には、コア３を配置する部分に、コア３の外形に沿った陥没部２１が形成してある。ベース部品２において、打球槌５の軸部５１を配設する部分には、軸受（ベアリング）５５を収容する軸受用凹部２２が形成されている。
【００１７】
図１に示すごとく、環形状のコア３は、ベース部品２の板面に対して平行に配置してある。ベース部品２を本体枠１１に取り付けたときには、コア３の厚み方向は、遊技機１０における前後方向に配置される。
図４に示すごとく、本例のコア３は、環形状を分断するよう２つに分割した分割コア部３１Ａ，３１Ｂを組み合わせてなる。本例のコア３は、上下方向に直線状に配置する直線コア部３２と、この直線コア部３２の上端と下端とにそれぞれ繋がる一対の屈曲コア部３３とによる略Ｃ型形状を有している。
コア３における隙間３０は、一対の分割コア部３１Ａ，３１Ｂの屈曲コア部３３の端面３３１同士の間に切欠き部を有するように形成されている。一対の屈曲コア部３３の端面３３１は、ロータ５２の外周面に対向するよう円弧状に窪んだ形状に形成されている。
【００１８】
図１に示すごとく、分割コア部３１Ａ，３１Ｂは、コア３の直線コア部３２をその中間位置において分断して形成してある。分割コア部３１Ａ，３１Ｂは、同一形状を有しており、薄板で形成された同形状の電磁鋼板を厚み方向に積層して形成されている。コア３は、前面側から見た状態において、ベース部品２における左側部分に配置してあり、打球槌５は、コア３における隙間３０に軸部５１を配置して、ベース部品２における右側部分に配置してある。
ベース部品２において、コア３を配置した位置に対する右斜め上方には、遊技球Ｂを１球ずつ配置する発射レール６２が配設してある。発射レール６２は、Ｖ形状断面の板金によって形成してある。
【００１９】
図４に示すごとく、本例のコイル４は、中空穴４１１を有する樹脂製のボビン４１の外周に、マグネットワイヤ４２を巻回してなる。コイル４は、コア３の直線コア部３２に対して外装されている。本例のボビン４１の外周面は、角部にＲ部を有する断面略四角形状に形成してあり、マグネットワイヤ４２は、断面略四角形状の部分に巻回されている。
【００２０】
図１に示すごとく、本例の打球槌５は、アーム本体部５３の基端部にロータ５２を配置するとともに、アーム本体部５３の先端側に打球部５４を配置してなる。本例のロータ５２は、軟磁性材料から形成してあり、アーム本体部５３の基端部に対する前後に重ねて配置してある。アーム本体部５３及び一対のロータ５２は、ナット５１１によって締め付けて軸部５１に固定されている。なお、アーム本体部５３及び一対のロータ５２は、ナット５１１を用いずに、軸部５１に接着して固定することもできる。
軸部５１は、その軸方向の両端部に配置した軸受（ベアリング）５５によって、ベース部品２と後述する第１カバー７とによって軸支される。
【００２１】
図４に示すごとく、ロータ５２は、円弧状の外周面を形成した長径部５２１と、長径部５２１よりも半径が小さい短径部５２２とを形成してなる。そして、打球槌５が原位置Ｇに待機するときには、ロータ５２の短径部５２２が分割コア部３１Ａ，３１Ｂにおける一対の端面３３１に対して対面する。これに対し、コイル４に通電を行ったときには、コア３に生ずる磁路によって、ロータ５２の長径部５２１が分割コア部３１Ａ，３１Ｂにおける一対の端面３３１に引き寄せられて、打球槌５が打球位置Ｈへ回動する。打球槌５は、発射レール６２に配置された遊技球Ｂを打球部５４によって打球した後、打球位置ストッパー６１Ｂに当接する。
【００２２】
図５に示すごとく、本例の打球槌５は、軸部５１を除く全体の前後方向の厚みＴ（同図においてはロータ５２の厚みで示す。）が、コア３の厚みＲよりも小さくなっている。打球槌５のアーム本体部５３は、コア３の厚み方向の中心位置に配置してある。コア３が前後方向に占める厚み範囲（幅の範囲）Ｒにおいて、軸部５１を除く打球槌５の全体が収まっている。
【００２３】
図４に示すごとく、打球槌５における打球部５４は、アーム本体部５３に設けた樹脂部品によって構成してある。打球部５４における打球点５４１は、樹脂部品において上方へ突出する突出部５４２によって形成してある（より詳しくは、打球点５４１は突出部５４２の上面に形成される打球面のほぼ中央位置（図１に×印で明記）に形成される）。樹脂部品による打球部５４は、インサート成形（一体成形）を行って金属製のアーム本体部５３に一体化することができる。また、アーム本体部５３は、打球部５４の配設位置において、下方に突出して錘として機能する錘部５３１を形成してなる。この錘部５３１の形成により、打球槌５における打球部５４の付近の重量を大きくし、遊技球Ｂを打球する際に、遊技球Ｂに与える力を大きくしている。
【００２４】
アーム本体部５３と樹脂部品による打球部５４とを一体成形するメリットとしては次のこともある。
打球部５４をインサート成形する際には、金型内に、軸穴５３２を形成したアーム本体部５３を配置する。この軸穴５３２は、打球槌５の軸部５１を構成するものである。そして、金型内において打球部５４の成形を行ったときには、軸穴５３２に対する打球部５４の位置精度を容易に確保することができる。これにより、打球槌５を形成した際に、その軸部５１と打球部５４の打球点５４１との位置関係を、何ら事後に微細調整を行うことなく精度よく確保することができる。
【００２５】
図４に示すごとく、ベース部品２には、アーム本体部５３に当接して、打球槌５の原位置Ｇを形成する原位置ストッパー６１Ａと、発射レール６２の近傍に位置し、打球位置Ｈに回動した打球槌５のアーム本体部５３に当接する打球位置ストッパー６１Ｂとが設けてある。各ストッパー６１Ａ，６１Ｂは、アーム本体部５３の先端部５３３に当接する位置に衝撃吸収部材６１１を設けてなる。
【００２６】
ここで、仮に、打球位置ストッパー６１Ｂを、アーム本体部５３の中間部分と当接する位置に配設しようとしたとき、発射レール６２における取付部分６２１の形状を、打球位置ストッパー６１Ｂとの干渉を避ける形状にする必要が生じる。
これに対し、本例においては、アーム本体部５３の先端部５３３を各ストッパー６１Ａ，６１Ｂに当接させる構造としている。これにより、ベース部品２における各ストッパー６１Ａ，６１Ｂの配設位置を、ベース部品２の前面においてできるだけ端部に近い位置にすることができる。そのため、特に、打球位置ストッパー６１Ｂを発射レール６２と干渉しにくい位置に配設することができる。
【００２７】
図２に示すごとく、ベース部品２の前面には、コア３を覆う第１カバー７がビス７５Ａによって取り付けてある。第１カバー７は、ガラス繊維を含む樹脂によって構成してある。第１カバー７は、コア３及びコイル４における前面側を覆う形状に形成してある。第１カバー７における内側（後面側）には、コア３を配置するコア用凹部７１、コイル４を配置するコイル用凹部７２、及び打球槌５の軸部５１を軸支する軸受（ベアリング）５５を収容する軸受用凹部７３が形成してある。
図４に示すごとく、第１カバー７のコア用凹部７１においては、上側部分の内壁面と下側部分の内壁面とに、分割コア部３１を互いに接近する方向へ押圧するための押圧部７１１が形成してある。この押圧部７１１は、コア用凹部７１の内壁面を形成する平坦面から、その内壁面の前後方向に伸びて突出するようにリブ状に突起形成してある。押圧部７１１の後端部は、コア３に対する取付を容易にするために、テーパ状に傾斜形成されている。本例の押圧部７１１は、コア用凹部７１の上側部分の内壁面及び下側部分の内壁面における複数箇所に形成してある。
【００２８】
本例のコア３の屈曲コア部３３は、直線コア部３２に対して直角に形成した直角部３３２と、この直角部３３２から斜めに屈曲した傾斜部３３３とを形成してなる。そして、本例の押圧部７１１は、コア用凹部７１において直角部３３２に対向する位置と、コア用凹部７１において傾斜部３３３に対向する位置とに形成してある。
【００２９】
図２〜図５に示すごとく、ベース部品２の陥没部２１に分割コア部３１Ａ，３１Ｂ及びコイル４を配置した後、ベース部品２に対して第１カバー７を取り付ける。このとき、押圧部７１１におけるリブ状の本体部分は、第１カバー７が取り付けられる過程で、テーパ状の後端部を経由して徐々に分割コア部３１Ａ，３１Ｂに圧接される。そして、第１カバー７のコア用凹部７１における上側部分の内壁面に設けた複数の押圧部７１１が、上側の分割コア部３１Ａの上端面に当接して、上側の分割コア部３１Ａを下側へ押圧する。また、第１カバー７のコア用凹部７１における下側部分の内壁面に設けた複数の押圧部７１１が、下側の分割コア部３１Ｂの下端面に当接して、下側の分割コア部３１Ｂを上側へ押圧する。これにより、分割コア部３１Ａ，３１Ｂを上下から押さえ付けて、分割コア部３１Ａ，３１Ｂに形成された分割面３１１を互いに密着させることができる。これにより、分割面３１１同士を適切に密着させ、通電時にコアを通過する磁路を適切に形成することができる。
【００３０】
また、図４に示すごとく、コア３を分割コア部３１Ａ，３１Ｂから形成したことにより、環形状のコア３に対して、中空穴４１１を有するコイル４を容易に外装することができる。つまり、コイル４におけるボビン４１の中空穴４１１に対する両側から、それぞれ分割コア部３１Ａ，３１Ｂを挿入して、コア３に対してコイル４を外装することができる。
また、コア３を覆う第１カバー７を利用して、分割コア部３１Ａ，３１Ｂの分割面３１１同士を互いに密着させることができる。これにより、分割コア部３１Ａ，３１Ｂの分割面３１１同士を互いに密着させるための専用部品を用いなくてもよい。そのため、球発射装置１に用いる部品点数の低減を図ることができる。
【００３１】
なお、コア３は、直線コア部３２の中間位置で分断する以外にも、直線コア部３２と屈曲コア部３３との連結位置等、他の位置で分断することもできる。本例のコア３は、直線コア部３２の形成方向に対して垂直に分断した。これに対し、コア３は、直線コア部３２の形成方向に対して傾斜して分断することができる。また、コア３は、分断面３１１に所定の形状を設けて分断することもできる。さらに、コア３は、３つ以上に分割した分割コア部として形成することもできる。
【００３２】
図２、図３に示すごとく、第１カバー７は、ビス７５Ａの締付を行ってベース部品２の前面に固定される。また、第１カバー７において、コア用凹部７１に対応する位置には、ビス７５Ｂの頭部を配置するための貫通穴７１２が形成してある。そして、第１カバー７の表面から締め付けるビス７５Ｂは、分割コア部３１Ａ，３１Ｂに形成した貫通穴３１２（図４参照）を通ってベース部品２に設けたネジ穴に螺合される。これにより、分割コア部３１Ａ，３１Ｂの分割面３１１を互いに密着させた後、分割コア部３１Ａ，３１Ｂをベース部品２に固定することができる。
【００３３】
図４に示すごとく、打球槌５は、原位置Ｇにおいて待機し、原位置Ｇから軸部５１の回りに上方へ回動して打球部５４によって遊技球Ｂを打球するよう構成してある。打球槌５の原位置Ｇは、打球部５４が軸部５１よりも下方になる位置に設定してある。
図２、図３に示すごとく、ベース部品２の前面には、打球槌５を覆う第２カバー８が取り付けてある。ベース部品２の前面には、原位置Ｇにある打球槌５に対する上方位置に、打球槌５の回動範囲内に侵入した遊技球Ｂを受け止めて流下させる流下通路部２３が形成してある。この流下通路部２３は、打球槌５の先端側から基端側に向けて緩やかに下降する傾斜面（前面から見たとき、右側から左側へ若干下降する傾斜面）によって形成してある。
【００３４】
また、本例の第２カバー８には、ベース部品２に形成した流下通路部２３の一部（右側部分）の手前側において、この流下通路部２３の一部と平行に補助流下通路部８１が形成してある。流下通路部２３は、ベース部品２の前面から突出する突起部によって形成してあり、補助流下通路部８１は、第２カバー８の後面から突出する突起部によって形成してある。
第２カバー８の内側面（後面）には、流下通路部２３及び補助流下通路部８１を流下する遊技球Ｂを排出するための排出通路部８２が形成してある。排出通路部８２は、補助流下通路部８１の下流側（前面から見たとき、補助流下通路部８１の左側）に隣接して形成してある。
【００３５】
発射レール６２よりも下方である第２カバー８内に侵入すると考えられる遊技球Ｂとしては、通常のサイズよりも小さい不正な遊技球がある。この不正な遊技球が打球槌５の周辺に残留すると、打球槌５が回動できなくなるおそれがあり、球発射装置１が故障してしまう原因となる。そこで、本例においては、不正な遊技球を、第２カバー８内における打球槌５の周辺から、第２カバー８の外へ排出する。具体的には、万一、打球槌５の周辺に不正な遊技球が侵入したときでも、この遊技球を、ベース部品２の流下通路部２３及び第２カバー８の補助流下通路部８１の上を流下させ、打球槌５の上を前面側に越えさせて、第２カバー８の排出通路部８２から下方へ排出することができる。これにより、侵入した遊技球によって打球槌５が回動しなくなる事態を防止することができ、球発射装置１を故障から保護することができる。
【００３６】
本例の遊技機１０の球発射装置１は、ベース部品２に対して、環形状のコア３、コイル４及び打球槌５を配設してなる。そして、コア３及びコイル４と打球槌５との位置、寸法の関係に工夫を行っている。
具体的には、本例の打球槌５における打球部５４の打球点５４１は、遊技機１０の前後方向において、コア３の厚み範囲Ｒ内に配置してある。また、本例の打球槌５は、軸部５１を除くほぼ全体が、コア３の厚みよりも小さく、コア３の前後方向の厚み範囲Ｒ内に収まっている。つまり、本例においては、遊技機１０の前後方向における打球槌５の主要部分の配置領域とコア３の配置領域とを、ほぼ同じ領域に合わせることができる。これにより、球発射装置１の前後方向の厚みを小さくすることができ、球発射装置１が遊技機１０において占めるスペースを小さくすることができる。
【００３７】
なお、打球槌５は、少なくとも打球部５４の打球点５４１が、コア３の前後方向の厚み範囲Ｒ内に収まっていればよく、打球部５４の一部が、厚み範囲Ｒ外に位置していてもよい。また、打球槌５は、アーム本体部５３の全体又は一部が、コア３の前後方向の厚み範囲Ｒ外に位置するように形成することもできる。
これらの場合にも、従来と比べて球発射装置１の前後方向の厚みを小さくすることができ、球発射装置１が遊技機１０において占めるスペースを小さくすることができる。
【００３８】
また、本例の球発射装置１においては、打球槌５を駆動する部分であるコア３及びコイル４が、ベース部品２の背面側にできる限り突出しないようにすることができる。これにより、球発射装置１が、遊技ホールにおいて遊技機１０が設置される島設備内部の球受部等に干渉してしまうことを防止することができる。
また、遊技機１０の前後方向における打球槌５の主要部分の配置領域とコア３の配置領域とを、ほぼ同じ領域に合わせることにより、ベース部品２の片面側を平坦状に形成することが容易となる。そして、遊技機１０における球発射装置１が取り付けられる本体枠１１等の取付け面を簡易的に形成することができる。また、遊技機１０の機構を複雑にする必要性がなくなり、結果として球発射装置１の遊技機１０内における配設の自由度を向上させることができる。
【００３９】
本実施例においては、球発射装置１の設置箇所を、本体枠１１の下部におけるほぼ中央位置にした。これ以外にも、球発射装置１は、本体枠１１の下部における左下部、又は右下部に配置することができる。また、球発射装置１は、本体枠１１における上方位置（遊技盤１２における遊技領域１２１の上方位置）に配置することもできる。
それ故、本例の遊技機１０の球発射装置１によれば、その前後方向の厚みの縮小化を図り、遊技機１０が設置される遊技ホールの島設備内部との干渉を避け、併せて、遊技機１０内における配設の自由度を向上させることができる。
【００４０】
（実施例２）
本例は、打球槌５及びコイル４に、上記実施例１とは異なる工夫を行った球発射装置１について示す例である。
図７に示すごとく、本例のコイル４は、２つに分割してあり、２つに分割したコイル４は、それぞれボビン４１にマグネットワイヤ４２を巻回してなる。各コイル４は、コア３において隙間３０を形成する部分に位置する屈曲部３３の端部３３１付近にそれぞれ外装することができる。この場合には、コイル４をロータ５２に近い位置に外装し、コイル４への通電によって生じる磁路をほとんど損失させずに、ロータ５２に作用させることができる。これにより、コア３に対してロータ５２が磁力によって回動させられて、打球槌５に発生させるトルクを大きくすることができる。
隙間３０からコア３の端部へコイル４を配置できる場合には、コア３は、略Ｃ型形状を有する一体コアとして形成することができる。また、コア３は、２つの分割コア部として形成することもできる。
【００４１】
また、図７に示すごとく、ロータ５２における長径部５２１の外周部分は、磁石５２３（強磁性材料からなる部分）によって形成することができる。また、ロータ５２において磁石５２３を設けていない残部は、軟磁性材料によって形成する。この場合には、ロータ５２の磁石５２３が、コア３における屈曲部３３の端部３３１に吸着されようとする磁気吸引力を利用して、打球槌５を原位置Ｇへ戻すことができる。また、コイル４に通電を行って打球槌５を回動させるときには、ロータ５２における磁石５２３に磁気極性による反発力が生じ、この反発力を、打球槌５を回動させるトルクとして利用することができる。これにより、打球槌５による遊技球Ｂの打球強度を容易に高めることができる。
【００４２】
本例においては、軸部５１及びロータ５２を配置する隙間３０を環形状のコア３の下側部分に形成し、打球槌５は、軸部５１及びロータ５２に対する下方位置において回動する状態で配置する。本例の打球槌５は、これに生じる重力のみによって原位置Ｇに戻そうとすると、下方に垂下した状態で停止することになる。これに対し、図７に示すごとく、本例の打球槌５は、ロータ５２に設けた磁石５２３によって磁気吸引されることにより、下方に垂下した位置から打球部５４が若干斜め上方に持ち上げられた位置で原位置Ｇを形成する。
【００４３】
そして、コイル４に通電を行ったときには、打球槌５は、斜め下方に持ち上げられた原位置Ｇから、遊技球Ｂを打球するのに必要な角度を回動する。これにより、球発射装置１における遊技球Ｂの打球ポイントを、できる限り下方の位置にすることができる。そして、遊技機１０に球発射装置１を配設する際に、球発射装置１に対する上方のスペースをできる限り拡大することができる。
本例においても、その他の構成は上記実施例１と同様であり、上記実施例１と同様の作用効果を得ることができる。
【００４４】
（参考例）
以下に、参考例として、打球槌５を、コア３の厚み範囲Ｒ内に配置せず、コア３の厚み方向に対して重なる位置（前後方向のずれた位置）に配置した例を示す。
図８に示すごとく、軸部５１及びロータ５２を配置する隙間３０を環形状のコア３の下側部分に形成し、隙間３０に対する両側に位置する屈曲部３３の端部に、それぞれコイル４を外装する。この場合、打球槌５は、遊技球Ｂを斜め上方へ発射させるよう、軸部５１及びロータ５２に対する横方向の位置から上方へ回動させる。打球槌５は、ベース部品２に対する前面側に配置され、コア３及びコイル４は、ベース部品２に対する後面側に配設される。なお、同図において、ベース部品２の図示は省略している。この場合には、コア３及びコイル４と打球槌５との上下方向の配設位置を集約することにより、球発射装置１の上下寸法を可能な限り小さくすることができる。
【００４５】
また、図示は省略するが、軸部５１及びロータ５２を配置する隙間３０を、環形状のコア３の上側部分に形成することもできる。この場合、打球槌５は、遊技球Ｂを斜め上方へ発射させるよう、軸部５１及びロータ５２に対する下方位置において回動させることができる。この場合にも、コア３及びコイル４と打球槌５との上下方向の配設位置を集約することにより、球発射装置１の上下寸法を可能な限り小さくすることができる。
【符号の説明】
【００４６】
１  球発射装置
２  ベース部品
２３  流下通路部
３  環形状のコア
３０  隙間
３１  分割コア部
３１１  分割面
４  コイル
５  打球槌
５１  軸部
５２  ロータ
５３  アーム本体部
５４  打球部
７  第１カバー
８  第２カバー
８１  補助流下通路部
８２  排出通路部
Ｂ  遊技球
【図１】
0005740591.tif 000002
【図２】
0005740591.tif 000003
【図３】
0005740591.tif 000004
【図４】
0005740591.tif 000005
【図５】
0005740591.tif 000006
【図６】
0005740591.tif 000007
【図７】
0005740591.tif 000008
【図８】
0005740591.tif 000009